(57)【特許請求の範囲】
【請求項１】
カードが挿入され、このカードを保持する部位が当該カードの長さより短い略方形の第１凹部を有する平板状のトレイと、
前記トレイが進退可能な第２凹部を有する平板状のハウジングと、
このハウジングの第２凹部を覆うカバー板と、
前記ハウジングに配列され、前記カードの一方の面に配列された接続端子と電気的に接続する複数のコンタクトと、を備え、
前記トレイは、当該トレイを引き出し容易な把持部を有するアダプタトレイを当該トレイの一方の端部に着脱自在に連結可能とし、
前記ハウジングは、
その両翼に設けられ、鉤状に切り欠かれた一対の係止溝と、
他方の端部に設けられ、前記第２凹部の内部に対向するよう突出する一対の回動軸と、を有し、
前記トレイは、前記カードの挿入方向に移動すると、一対の前記回動軸に嵌合して当該トレイと回動可能に連結する、切り欠かれた一対の円弧溝を他方の端部の両翼に有し、
前記カバー板は、
前記第２凹部の底面と対向する主面部と、
この主面部の両翼が屈折して前記トレイの両側面にスライド可能な一対の側面部と、を有し、
これらの側面部には、
互いに内側に屈折して、前記トレイの両翼を当該トレイの底面側から保持する一対の保持片と、
互いに外側に屈折して、一対の前記係止溝に係止可能な一対の係止片と、を設けている、カード用コネクタ。
【発明の詳細な説明】
【技術分野】
【０００１】
本発明は、カード用コネクタに関する。特に、ＳＩＭ（Ｓｕｂｓｃｒｉｂｅｒ  Ｉｄｅｎｔｉｔｙ  Ｍｏｄｕｌｅ：加入者識別モジュール）カードなどのメモリカードと電気的に接続するコネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、携帯電話機やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
近年においては、携帯電話機には、情報管理用のメモリカードと記録用のメモリカードとが搭載されている。前者の情報管理用のメモリカードは、例えばＳＩＭカードであり、後者の記録用のメモリカードは、例えばＳＤ（Ｓｅｃｕｒｅ  Ｄｉｇｉｔａｌ）カードである。
【０００４】
ＳＩＭカードには、携帯電話会社と契約した契約者情報が記録されている。そして、ＳＩＭカードを携帯電話機に差し込むと、利用者を識別できる。つまり、ＳＩＭカードを差し替えることにより、同じ契約者扱いで機種の異なる携帯電話機を利用できる。
【０００５】
一般に、ＳＩＭカードの一方の面上には、複数の接続端子が露出している。そして、ＳＩＭカード用コネクタに備わるベローズ形のコンタクトがこれらの接続端子を付勢することにより、ＳＩＭカードとカード用コネクタとを電気的に接続している。
【０００６】
前述したＳＩＭカード用コネクタとしては、カードを着脱するために必要な、機器に設ける開口を最小にするトレイタイプのＳＩＭカード用コネクタが開示されている（例えば、特許文献１参照）。
【０００７】
特許文献１によるＳＩＭカード用コネクタは、カードを一体的に装着可能なトレイと、複数のコンタクトを実装し、トレイをスライド可能に案内する対向する一対のガイド溝を有する平板状のハウジングを備えている。又、トレイは、一対のガイド溝に案内される一対のガイドピンを先端部の両翼に設けている。
【０００８】
又、前述したＳＩＭカード用コネクタとしては、長手方向の寸法を小さくできると共に、高さ方向（実装高さ）の寸法も小さくでき、更に、十分な接触圧力を達成可能な開閉タイプのＳＩＭカード用コネクタが開示されている（例えば、特許文献２参照）。
【０００９】
特許文献２によるＳＩＭカード用コネクタは、凹部を形成したハウジングと、このハウジングの一端部と回動可能に連結して凹部を開閉するカバーを備えている。そして、カードをカバーに収容して、このカバーを閉じた後に、凹部の底面と平行に僅かにスライドすると、カバーがハウジングにロックされる。
【先行技術文献】
【特許文献】
【００１０】
【特許文献１】特開平８−８７５８２号公報
【特許文献２】特開２０００−２６０５３７号公報
【発明の概要】
【発明が解決しようとする課題】
【００１１】
例えば、複数のコンタクトを備えたハウジング、及びこのハウジングを覆うカバーで構成された、いわゆる、手差しタイプのＳＩＭカード用コネクタが携帯電話機に内蔵されている。
【００１２】
一般に、携帯電話機は、操作部及び表示部と反対側の背面側に設けた凹部に板状のバッテリを収容している。手差しタイプのＳＩＭカード用コネクタは、携帯電話機に設けた凹部の底面にＳＩＭカードがスライドするように配置されている。
【００１３】
手差しタイプのＳＩＭカード用コネクタを設けた携帯電話機は、背面カバー及びバッテリを携帯電話機本体から取り外し、指先でＳＩＭカードを携帯電話機に設けた凹部側に移動することによって、ＳＩＭカードを取り出すことができる。
【００１４】
又、特許文献１によるトレイタイプのＳＩＭカード用コネクタは、携帯電話機に設けた凹部を構成する内壁の一部が開口され、この開口に連通する収容室にトレイ及びＳＩＭカードの大部分が収容されている。そして、トレイがハウジングから排出されないように、トレイの端面にバッテリの端面が突き当たるように、バッテリが凹部に配置されている。
【００１５】
特許文献１によるＳＩＭカード用コネクタを設けた携帯電話機は、背面カバー及びバッテリを携帯電話機本体から取り外し、トレイに指先をかけてトレイを引き出すことによって、ＳＩＭカードを取り出すことができる。
【００１６】
特許文献２による開閉タイプのＳＩＭカード用コネクタは、携帯電話機に設けた凹部の底面に段差が穿設され、この段差の中にカバーが閉じられた状態で収容されている。そして、このカバーを覆うように、バッテリが凹部に装着されている。
【００１７】
特許文献２によるＳＩＭカード用コネクタを設けた携帯電話機は、背面カバー及びバッテリを携帯電話機本体から取り外し、カバーを開くことによって、ＳＩＭカードを取り出すことができる。
【００１８】
このように、従来は、携帯電話機又はバッテリのデザイン（又は仕様）に対応して、様々なタイプのＳＩＭカード用コネクタの中から適合するコネクタを選定する必要があった。
【００１９】
上述したような、様々なタイプのカード用コネクタに変化できるように、汎用性又は拡張性に富んだカード用コネクタが実現できれば、例えば、携帯電話機又はバッテリのデザイン（又は仕様）に係らず、カード用コネクタを共用することも可能になり、製造原価の低減に貢献できる。そして、以上のことが本発明の課題といってよい。
【００２０】
本発明は、このような問題に鑑みてなされたものであり、様々なタイプのカード用コネクタに変化できるように、汎用性又は拡張性に富んだカード用コネクタを提供することを目的とする。
【課題を解決するための手段】
【００２１】
本発明者は、複数のコンタクトを備えたハウジング、このハウジングを覆うカバー板、及びカードを保持する部位がカードの長さより短いトレイでカード用コネクタを基本構成し、トレイにアダプタトレイを着脱自在に取り付けるように構成すると共に、このトレイとカバーが一体となって開閉可能とすることにより、上記の課題が解決できることを見出し、これに基づいて、以下のような新たなカード用コネクタを発明するに至った。
【００２２】
（１）  カードが挿入され、このカードを保持する部位が当該カードの長さより短い略方形の第１凹部を有する平板状のトレイと、前記トレイが進退可能な第２凹部を有する平板状のハウジングと、このハウジングの第２凹部を覆うカバー板と、前記ハウジングに配列され、前記カードの一方の面に配列された接続端子と電気的に接続する複数のコンタクトと、を備え、前記トレイは、当該トレイを引き出し容易な把持部を有するアダプタトレイを当該トレイの一方の端部に着脱自在に連結可能としているカード用コネクタ。
【００２３】
（１）の発明によるカード用コネクタは、平板状のトレイと平板状のハウジングを備えている。トレイは、カードが挿入され、カードを保持する部位がカードの長さより短い略方形の第１凹部を有している。ハウジングは、トレイが進退可能な第２凹部を有している。
【００２４】
又、（１）の発明によるカード用コネクタは、カバー板と複数のコンタクトを備えている。カバー板は、ハウジングの第２凹部を覆っている。複数のコンタクトは、ハウジングに配列されている。そして、これらのコンタクトは、カードの一方の面に配列された接続端子と電気的に接続できる。
【００２５】
トレイは、アダプタトレイをトレイの一方の端部に着脱自在に連結可能としている。アダプタトレイは、トレイを引き出し容易な把持部を有している。
【００２６】
トレイは、厚さ方向に曲げ変形（たわみ）が容易な弾性部材からなってもよく、絶縁性を有する合成樹脂を成形して、所望の形状のトレイを得てもよく、導電性を有する剛体の金属板を加工して、所望の形状のトレイを得てもよい。
【００２７】
ハウジングには、トレイの両側面を囲う一対の対向する側壁を設けることが好ましく、これらの側壁で囲まれた空間をトレイが進退可能な第２凹部とすることができる。トレイの前部に当接して、トレイの進出を停止させる停止壁を第２凹部に設けてもよい。第２凹部にトレイが進退するとは、トレイにカードを載置して、このトレイをカードと共にハウジングに進出、又はハウジングから後退できることを意味している。
【００２８】
カバー板は、導電性の金属板からなることが好ましく、展開された金属を成形して所望の形状の導電性のカバー板を得ることができる。カバー板は、カードを包囲して不要な電磁波か防護するシールド板として機能でき、第２凹部を覆って、カード用コネクタの外殻を構成する導電性のシェルとして機能することもできる。
【００２９】
カードの一方の面とは、接続端子となる区画されたパターンが露出している面を示し、コンタクトに付勢されたカード及びトレイが板厚方向の移動をカバー板に規制されて、コンタクトに所定の接触圧を得させることができる。
【００３０】
コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００３１】
コンタクトは、ベローズ形コンタクト、又はカンチレバーコンタクトと呼ばれる、片持ち状の板ばねからなっている。コンタクトは、ハウジングに固定される固定片を有し、この固定片は、ハウジングに圧入される形態を含み、この固定片は、ハウジングにモールドされる一体成形の形態を含むことができる。固定片には、プリント基板にハンダ接合されるリード部を形成することが好ましい。
【００３２】
トレイはアダプタトレイを着脱自在に連結可能としているとは、アダプタトレイがカード用コネクタの付属品であり、又は、標準仕様の他に、購入者が随意に選択して取り付けられるオプショナルパーツであることを意味している。
【００３３】
（１）の発明によるカード用コネクタは、トレイ、複数のコンタクトを備えたハウジング、及びカバー板で構成することにより、手差しタイプのカード用コネクタとして使用できる。この場合、ハウジングに対してトレイが移動しないように、手差しタイプのカード用コネクタを機器側に組み込むことが好ましい。
【００３４】
一方、（１）の発明によるカード用コネクタは、トレイにアダプタトレイを取り付けることにより、トレイとアダプタトレイとを一体にして、移動することが可能になる。そして、アダプタトレイに設けた把持部に指先をかけて、トレイを引き出すことができる、トレイタイプのカード用コネクタを実現できる。
【００３５】
（１）の発明によるカード用コネクタは、アダプタトレイの有無によって、トレイタイプのカード用コネクタと手差しタイプのカード用コネクタに変化できる。そして、機器のデザイン（又は仕様）に係らず、カード用コネクタを共用することも可能になり、製造原価の低減に貢献できる。
【００３６】
（２）  前記ハウジングは、前記第２凹部の内部に対向するよう突出する一対の回動軸を他方の端部に有し、前記トレイは、前記カードの挿入方向に移動すると、一対の前記回動軸に嵌合して当該トレイと回動可能に連結する、切り欠かれた一対の円弧溝を他方の端部の両翼に有する（１）記載のカード用コネクタ。
【００３７】
（２）の発明によるカード用コネクタは、トレイをカードの挿入方向に移動すると、円弧溝が回動軸に嵌合して、ハウジングに対してトレイを開閉できる。つまり、開閉タイプのカード用コネクタを実現できる。この場合、トレイにアダプタトレイを取り付けておくことが好ましい。
【００３８】
（３）  前記ハウジングは、鉤状に切り欠かれた一対の係止溝を両翼に有し、前記カバー板は、前記第２凹部の底面と対向する主面部と、この主面部の両翼が屈折して前記トレイの両側面にスライド可能な一対の側面部と、を有し、これらの側面部には、互いに内側に屈折して、前記トレイの両翼を当該トレイの底面側から保持する一対の保持片と、互いに外側に屈折して、一対の前記係止溝に係止可能な一対の係止片と、を設けている（２）記載のカード用コネクタ。
【００３９】
（３）の発明によるカード用コネクタは、トレイに対してカバー板をカードの挿入方向に移動すると、係止溝と係止片との係合が解除されて、ハウジングに対してカバー板と共にトレイを開くことができる。
【００４０】
一方、ハウジングに対してカバー板と共にトレイを閉じた状態から、トレイに対してカバー板をカードの挿入方向と反対方向に移動すると、係止溝と係止片が係合して、トレイをハウジングに係止（ロック）できる。
【発明の効果】
【００４１】
本発明によるカード用コネクタは、手差しタイプ、トレイタイプ、又は開閉タイプの三タイプに変化することが可能であり、汎用性又は拡張性に富んでいる。本発明によるカード用コネクタは、例えば、携帯電話機又はバッテリのデザイン（又は仕様）に係らず、カード用コネクタを共用することも可能になり、製造原価の低減に貢献できる。
【図面の簡単な説明】
【００４２】
【図１】本発明の一実施形態によるカード用コネクタの構成を示す斜視図である。
【図２】前記実施形態によるカード用コネクタの構成を示す斜視分解組立図であり、トレイとアダプタトレイが分離した状態図である。
【図３】前記実施形態によるカード用コネクタの構成を示す斜視分解組立図であり、トレイとアダプタトレイが分離した状態図である。
【図４】前記実施形態によるカード用コネクタの構成を示す斜視分解組立図であり、トレイとアダプタトレイが連結した状態図である。
【図５】前記実施形態によるカード用コネクタに備わるハウジングの斜視図である。
【図６】前記実施形態によるカード用コネクタの斜視図であり、カード用コネクタを背面側から観ている。
【図７】前記実施形態によるカード用コネクタの斜視図であり、カード用コネクタを右側面側から観ている。
【図８】前記実施形態によるカード用コネクタの背面図である。
【図９】前記実施形態によるカード用コネクタの斜視図であり、トレイ及びカバーが開いた状態図である。
【図１０】前記実施形態によるカード用コネクタの第１実施例を示す斜視図であり、手差しタイプのカード用コネクタを携帯電話機の背面側に組み込んだ状態図である。
【図１１】前記実施形態によるカード用コネクタの第１実施例を示す斜視図であり、図１０の状態からカードを排出した状態図である。
【図１２】前記実施形態によるカード用コネクタの第２実施例を示す斜視図であり、トレイタイプのカード用コネクタを携帯電話機の背面側に組み込んだ状態図である。
【図１３】前記実施形態によるカード用コネクタの第２実施例を示す斜視図であり、図１２の状態からカードを排出した状態図である。
【図１４】前記実施形態によるカード用コネクタの第３実施例を示す斜視図であり、開閉タイプのカード用コネクタを携帯電話機の背面側に組み込んだ状態図である。
【図１５】前記実施形態によるカード用コネクタの第３実施例を示す斜視図であり、図１４の状態からカバー板と共にトレイを開いた状態図である。
【発明を実施するための形態】
【００４３】
以下、図面を参照して本発明を実施するための形態を説明する。
【００４４】
［カード用コネクタの構成］
最初に、本発明の一実施形態によるカード用コネクタの構成を説明する。図１は、本発明の一実施形態によるカード用コネクタの構成を示す斜視図である。
【００４５】
図２は、前記実施形態によるカード用コネクタの構成を示す斜視分解組立図であり、トレイとアダプタトレイが分離した状態図である。図３は、前記実施形態によるカード用コネクタの構成を示す斜視分解組立図であり、トレイとアダプタトレイが分離した状態図である。
【００４６】
又、図４は、前記実施形態によるカード用コネクタの構成を示す斜視分解組立図であり、トレイとアダプタトレイが連結した状態図である。図５は、前記実施形態によるカード用コネクタに備わるハウジングの斜視図である。
【００４７】
図１から図５を参照すると、本発明の一実施形態によるカード用コネクタ（以下、コネクタと略称する）１０は、平板状のトレイ１、平板状のハウジング２、及びカバー板３を備えている。
【００４８】
図１から図５を参照すると、トレイ１は、カードＣが挿入され、カードＣを保持する部位がカードＣの長さより短い略方形の第１凹部１１を有している。ハウジング２は、トレイ１が進退可能な第２凹部２１を有している。カバー板３は、ハウジング２の第２凹部２１を覆っている。
【００４９】
図２又は図５を参照すると、コネクタ１０は、ハウジング２の前列に配置された四つの片持ち状のコンタクト４１、及びハウジング２の後列に配置された四つの片持ち状のコンタクト４２を備えている。これらのコンタクト４１・４２は、カードＣの一方の面ｃ１に設けた接続端子（図示せず）とプリント基板１ｐとを電気的に接続できる（図１参照）。
【００５０】
図２から図４を参照すると、トレイ１は、対向する一対の側壁１ａ・１ｂを形成している。これらの側壁１ａ・１ｂと底壁１ｃとで囲われた薄直方体状の空間をカードＣが挿入される第１凹部１１としている。トレイ１は、ハウジング２の内部に進出させたときに、複数のコンタクト４１・４２を逃げる逃げ部１２を底壁１ｃに形成している。
【００５１】
又、図２から図４を参照すると、トレイ１は、開口した後縁１１ａと、離間した一対の前縁１１ｂ・１１ｂを有している。後縁１１ａは、カードＣを挿入されるための開口を設けている。一対の前縁１１ｂ・１１ｂは、カードＣが第１凹部１１の内部に進出したときに、カードＣの前縁が当接して、カードＣの移動を阻止できる。
【００５２】
図２から図４を参照すると、トレイ１は、相反する向きに突出する一対の段差１１ｃ・１１ｄを一対の側壁１ａ・１ｂの一方の端部に有している。トレイ１をハウジング２の第２凹部２１に挿入すると、これらの段差１１ｃ・１１ｄは、ハウジング２の後縁に当接して、トレイ１の挿入深さを規定している。
【００５３】
図１から図４を参照すると、トレイ１は、アダプタトレイ５をトレイ１の一方の端部に着脱自在に連結可能としている。アダプタトレイ５は、対向する一対のアーム５ａ・５ｂを有している。これらのアーム５ａ・５ｂは、対向する一対の回動軸５１ａ・５１ｂを突出している。一方、トレイ１は、これらの回動軸５１ａ・５１ｂに嵌合可能な一対の軸穴１１ｅ・１１ｆを段差１１ｃ・１１ｄに形成している。
【００５４】
図２又は図３を参照して、一対のアーム５ａ・５ｂを互いに離反する方向に引っ張り、トレイ１の一方の端部に装着後に解放すると、一対の回動軸５１ａ・５１ｂが軸穴１１ｅ・１１ｆに嵌合して、アダプタトレイ５をトレイ１に連結できる（図１又は図２参照）。
【００５５】
図１を参照すると、カードＣは、誤装着を防止するための切り欠き斜辺ｃ３を後端縁側の一方の隅部に有している。一方、図２から図４を参照すると、アダプタトレイ５は、斜辺壁５ｃを第３凹部５１の後縁側の隅部に有している。アダプタトレイ５がトレイ１に連結した状態では、斜辺壁５ｃは、切り欠き斜辺ｃ３に係合しており、カードＣの装着の向きを規定できる（図１参照）。
【００５６】
図４を参照すると、アダプタトレイ５がトレイ１に連結した状態では、第１凹部１１の底面と第３凹部５１の底面とが平坦に形成され、カードＣをこれらの連通した凹部に載置できる（図１参照）。
【００５７】
なお、図２から図４を参照すると、アダプタトレイ５には、第１凹部１１と第３凹部５１が連通した凹部に載置されたカードＣを指で持ち上げるための切り欠き部５２を後縁側に形成している。又、アダプタトレイ５には、トレイ１をハウジング２から容易な引き出すための把持部５３を有している。実体として、把持部５３は、アダプタトレイ５の隅部に穿設された溝となっている。
【００５８】
引き続き、実施形態によるコネクタ１０の構成を説明する。図６は、前記実施形態によるカード用コネクタの斜視図であり、カード用コネクタを背面側から観ている。図７は、前記実施形態によるカード用コネクタの斜視図であり、カード用コネクタを右側面側から観ている。
【００５９】
又、図８は、前記実施形態によるカード用コネクタの背面図である。図９は、前記実施形態によるカード用コネクタの斜視図であり、トレイ及びカバーが開いた状態図である。
【００６０】
図２から図８を参照すると、ハウジング２には、トレイ１に設けた一対の側壁１ａ・１ｂに隣接する一対の対向する側壁２ａ・２ｂを設けている。これらの側壁２ａ・２ｂは、カバー板３に設けた一対の側面部３１ａ・３１ｂを案内できる（図８参照）。そして、これらの側壁２ａ・２ｂと底壁２ｃとで囲われた薄直方体状の空間をトレイ１が進退可能な第２凹部２１とした。
【００６１】
図２から図８を参照すると、ハウジング２は、一対の回動軸２１ａ・２１ｂを他方の端部に有している。これらの回動軸２１ａ・２１ｂは、第２凹部２１の内部に対向するよう突出している。
【００６２】
一方、図２又は図４を参照すると、トレイ１は、切り欠かれた一対の円弧溝１１ｇ・１１ｈを他方の端部の両翼に有している。図２に示されるように、トレイ１をカードＣの挿入方向に移動すると、一対の円弧溝１１ｇ・１１ｈを一対の回動軸２１ａ・２１ｂに嵌合できる。そして、ハウジング２に対して、トレイ１を回動可能に連結できる。
【００６３】
図２又は図８を参照すると、カバー板３は、主面部３０と一対の側面部３１ａ・３１ｂを有している。主面部３０は、ハウジング２の第２凹部２１の底面と対向するように配置されている。一対の側面部３１ａ・３１ｂは、主面部３０の両翼が略直角に屈折している。一対の側面部３１ａ・３１ｂは、トレイ１の両翼にスライドできる。
【００６４】
図８を参照すると、一対の側面部３１ａ・３１ｂは、互いに内側に屈折した一対の保持片３１ｃ・３１ｄを有している。これらの保持片３１ｃ・３１ｄは、トレイ１の両翼をトレイ１の底面側から保持している。
【００６５】
図５を参照すると、ハウジング２は、離間した一組の係止溝２１ｅ・２１ｅを側壁２ａに設けている。又、ハウジング２は、離間した一組の係止溝２１ｆ・２１ｆを側壁２ｂに設けている。これらの係止溝２１ｅ・２１ｆは、鉤状（Ｌ字状）に切り欠かれている。
【００６６】
一方、図２を参照すると、カバー板３は、離間した一組の係止片３１ｅ・３１ｅを側面部３１ａに設けている。又、カバー板３は、離間した一組の係止片３１ｆ・３１ｆを側面部３１ｂに設けている。これらの係止片３１ｅ・３１ｆは、一対の側面部３１ａ・３１ｂから互いに外側に屈折している。そして、一対の係止片３１ｅ・３１ｆは、一対の係止溝２１ｅ・２１ｆに係止できる（図３又は図６参照）。
【００６７】
図７を参照して、トレイ１に対してカバー板３をカードＣの挿入方向に移動すると、一対の係止溝２１ｅ・２１ｆと一対の係止片３１ｅ・３１ｆとの係合が解除されて、ハウジング２に対してカバー板３と共にトレイ１を開くことができる（図９参照）。
【００６８】
一方、ハウジング２に対して、カバー板３と共にトレイ１を閉じた状態から、トレイ１に対して、カバー板３をカードＣの挿入方向と反対方向に移動すると、一対の係止溝２１ｅ・２１ｆに一対の係止片３１ｅ・３１ｆが係合して、トレイ１をハウジング２に係止（ロック）できる（図３又は図６参照）。
【００６９】
［カード用コネクタの作用］
次に、実施形態によるコネクタ１０による第１から第３実施例を説明しながら、コネクタ１０の作用及び効果を説明する。
【００７０】
（第１実施例）
図１０は、前記実施形態によるカード用コネクタの第１実施例を示す斜視図であり、手差しタイプのカード用コネクタを携帯電話機の背面側に組み込んだ状態図である。図１１は、前記実施形態によるカード用コネクタの第１実施例を示す斜視図であり、図１０の状態からカードを排出した状態図である。
【００７１】
図１０及び図１１を参照すると、第１実施例によるコネクタ１０は、携帯電話機９に設けた凹部９１の底面９１ａにカードＣがスライドするように配置している。第１実施例によるコネクタ１０を設けた携帯電話機９は、図示しない背面カバー及びバッテリを携帯電話機９から取り外し、指先でカードＣの他方の面（表面）ｃ２を当接し、凹部９１側に移動することによって、カードＣを取り出すことができる。
【００７２】
図２から図５を参照して、第１実施例によるコネクタ１０は、トレイ１、複数のコンタクト４１・４２を備えたハウジング２、及びカバー板３で構成することにより、手差しタイプのカード用コネクタとして使用できる。
【００７３】
図１０及び図１１を参照すると、第１実施例によるコネクタ１０は、ハウジング２に対してトレイ１が移動しないように、携帯電話機９の背面側に組み込まれている。図１０に示された状態では、バッテリ（図示せず）を凹部９１に装着すると、バッテリによって、カードＣの飛び出しが規制される。
【００７４】
（第２実施例）
図１２は、前記実施形態によるカード用コネクタの第２実施例を示す斜視図であり、トレイタイプのカード用コネクタを携帯電話機の背面側に組み込んだ状態図である。図１３は、前記実施形態によるカード用コネクタの第２実施例を示す斜視図であり、図１２の状態からカードを排出した状態図である。
【００７５】
図１２及び図１３を参照すると、第２実施例によるコネクタ１０は、携帯電話機９に設けた凹部９２を構成する内壁の一部が開口され、この開口に連通する収容室にトレイ１及びカードＣの大部分が収容されている。そして、トレイ１及びアダプタトレイ５がハウジング２から排出されないように、アダプタトレイ５の端面にバッテリ（図示せず）の端面が突き当たるように、バッテリが凹部９２に配置されている。
【００７６】
図１２及び図１３を参照すると、第２実施例によるコネクタ１０は、図示しない背面カバー及びバッテリを携帯電話機９から取り外し、アダプタトレイ５の把持部５３に指先をかけて、トレイ１及びアダプタトレイ５を凹部９２の底面９２ａにスライドする（引き出す）ことによって、カードＣを取り出すことができる。
【００７７】
図２から図５を参照して、第２実施例によるコネクタ１０は、トレイ１にアダプタトレイ５を取り付けることにより、トレイ１とアダプタトレイ５とを一体にして、移動することが可能になる。そして、アダプタトレイ５に設けた把持部５３に指先をかけて、トレイ１を引き出すことができる、トレイタイプのカード用コネクタを実現できる。
【００７８】
（第３実施例）
図１４は、前記実施形態によるカード用コネクタの第３実施例を示す斜視図であり、開閉タイプのカード用コネクタを携帯電話機の背面側に組み込んだ状態図である。図１５は、前記実施形態によるカード用コネクタの第３実施例を示す斜視図であり、図１４の状態からカバー板と共にトレイを開いた状態図である。
【００７９】
図１４を参照すると、第３実施例によるコネクタ１０は、携帯電話機９に設けた凹部９３の底面９３ａに段差９４が穿設され、段差９４の中にカバー板３が閉じられた状態で収容されている。そして、このカバー板３を覆うように、図示しないバッテリが凹部９３に装着される。
【００８０】
図１５を参照すると、第３実施例によるコネクタ１０は、図示しない背面カバー及びバッテリを携帯電話機９から取り外し、カバー板３を開くことによって、カードＣを取り出すことができる。
【００８１】
図１から図９を参照すると、第３実施例によるコネクタ１０は、トレイ１をカードＣの挿入方向に移動すると、一対の円弧溝１１ｇ・１１ｈが一対の回動軸２１ａ・２１ｂに嵌合して、ハウジング２に対してトレイ１を開閉できる。つまり、開閉タイプのカード用コネクタを実現できる。第３実施例によるコネクタ１０は、トレイ１にアダプタトレイ５を取り付けておくことが好ましい。
【００８２】
このように、実施形態によるコネクタ１０は、アダプタトレイ５の有無によって、トレイタイプのカード用コネクタと手差しタイプのカード用コネクタに変化できる。そして、機器のデザイン（又は仕様）に係らず、カード用コネクタを共用することも可能になり、製造原価の低減に貢献できる。
【００８３】
実施形態によるコネクタ１０は、手差しタイプ、トレイタイプ、又は開閉タイプの三タイプに変化することが可能であり、汎用性又は拡張性に富んでいる。実施形態によるコネクタ１０は、例えば、携帯電話機又はバッテリのデザイン（又は仕様）に係らず、カード用コネクタを共用することも可能になり、製造原価の低減に貢献できる。
【符号の説明】
【００８４】
１  トレイ
２  ハウジング
３  カバー板
５  アダプタトレイ
１０  コネクタ（カード用コネクタ）
１１  第１凹部
２１  第２凹部
４１・４２  コンタクト
５３  把持部
【図１】
0005596430.tif 000002
【図２】
0005596430.tif 000003
【図３】
0005596430.tif 000004
【図４】
0005596430.tif 000005
【図５】
0005596430.tif 000006
【図６】
0005596430.tif 000007
【図７】
0005596430.tif 000008
【図８】
0005596430.tif 000009
【図９】
0005596430.tif 000010
【図１０】
0005596430.tif 000011
【図１１】
0005596430.tif 000012
【図１２】
0005596430.tif 000013
【図１３】
0005596430.tif 000014
【図１４】
0005596430.tif 000015
【図１５】
0005596430.tif 000016